(57)【特許請求の範囲】
【請求項１】
供給空気が、送気溝（Ｂ）から、壁（Ｅ）、床（Ｃ）及び天井（Ｄ）を有する換気スペースに開口している送気末端装置（１０）の長尺状垂直空気通路を通って移送されるようにされた換気スペース内への供給空気の導入方法において、前記供給空気がコアンダ効果により壁に沿って床（Ｃ）に向かい下方に進むように、前記長尺状垂直空気通路を床（Ｃ）から上方へ所定の間隔を置いた位置でかつ該換気スペースへの開口を壁（Ｅ）と隣接した位置で取り付けることにより、前記送気末端装置（１０）から壁（Ｅ）に沿って供給空気を下方に排出させ、かつ換気スペース内の空気を換気スペースの天井領域から排出させることを特徴とする方法。
【請求項２】
前記供給空気を前記換気スペース（Ａ）の床（Ｃ）の上方８０乃至１２０ｃｍの位置に取り付けた前記送気末端装置（１０）から前記換気スペース（Ａ）へと排出させることを特徴とする請求項１に記載の方法。
【請求項３】
壁（Ｅ）を有する換気スペース（Ａ）に供給空気を導入するための、送気取入口、送気流出口、及び該送気取入口と該送気流出口との間の長尺状空気通路（１３）を有する送気末端装置において、前記末端装置（１０）が、コアンダ効果により壁に沿って下方に供給空気を排出させるために前記送気流出口を壁（Ｅ）と隣接した位置にあるように壁（Ｅ）に垂直位置で取り付けられていることを特徴とする送気末端装置。
【請求項４】
前記送気取入口と前記送気流出口の間の前記空気通路（１３）は、一面が開口している溝部材（１１）によって形成され、前記末端装置は前記壁（Ｅ）に、前記開口部が該壁と面した状態で取り付けられるように構成したことを特徴とする請求項３に記載の送気末端装置。
【請求項５】
前記溝部材（１１）はトラフ形状の部分からなり、該トラフ形部分の側縁部に沿って取り付けられる１つ又はそれ以上のスペーサー部材（１６）が設けられたことを特徴とする請求項３又は４に記載の送気末端装置。
【発明の詳細な説明】
【０００１】
【発明の属する技術分野】
本発明は供給空気（ダクト内気流）を換気スペースへと導入する方法に関するもので、この場合供給空気は、送気源から、換気スペースに開口している末端装置を通って移送される。さらに本発明は、この方法を実施する送気末端装置にも係わるものである。
【０００２】
【従来の技術】
供給空気を換気スペースへと導入する方法としては、送気変位末端装置を用いたものが知られている。供給空気は床領域において、低速且つ均一な速度で換気スペースへと導入され、上層の空気は天井領域へと序々に押出され、ここで排気末端装置を通って排出される。
【０００３】
【課題を解決するための手段】
本発明は、空気変位型の換気を行うための方法及び送気末端装置にも係わるものである。
本発明に基づく方法の主な特徴は、供給空気は換気スペースを形成する直立面に沿って送気末端装置から排出されるということである。末端装置からの空気の噴流は、部屋の壁を形成することも可能である前記直立面に沿って流れ、換気スペースの床領域にわたって分散し、その際に周囲の空気と混合する。換気スペース内では、空間を占める人間がほとんど気付くことのないような空気の移動が起こることになる。
【０００４】
空気は床よりも高い位置で送気末端装置から排出されても良いが、空気の排出は床面よりも８０乃至１２０ｃｍ高い位置で行われるのが好ましい。
【０００５】
本発明では、換気スペースへの供給空気の導入位置の選択が自由に行える。床面及び床に近接したスペースは自由に使用することが可能であり、送気末端装置の外観を美観をもって設計したり、位置決めすることができる。
本発明に基づく送気末端装置の主な特徴は、送気取入口と送気流出口の間の空気通路は長尺であること、及び該装置は換気スペースを形成している直立面（壁）に送気流出口が下方を向き且つ前記直立面と隣接して位置した状態で垂直位置に取り付けられることである。
【０００６】
送気取入口と送気流出口の間の空気の通路は、一面が開口した溝形部材により形成されても良いが、この場合空気通路が閉鎖した断面形状を有するように、末端装置取り付け面は、該開口面に対して空気通路の一部を形成する役割を果たすことになる。好適な寸法を有するスペーサー部材を溝形部材の側壁部に取り付けても良く、これにより溝形部材は、所望の空気流量に見合う断面領域を有するように壁表面から所定の距離で位置決めされる。
【０００７】
【発明の実施の形態】
添付の図面を参照し、本発明を以下に詳述する。
図１は居住空間またはオフィス空間等の換気スペース（Ａ）を示し、供給空気はファンまたは空気調和装置（図示せず）等の送気源及びこれらに対応する送気溝（Ｂ）から、一般に符号１０で示される送気末端装置を通って該換気スペース（Ａ）に導入される。空気は排気末端装置（Ｆ）を通って、床（Ｃ）、天井（Ｄ）、及び壁（Ｅ）により形成される換気スペース（Ａ）から排出される。
【０００８】
送気末端装置（１０）はＶ字断面の長尺な溝部材（１１）の形状で、一端が開口しており、他端すなわち上端は横断壁（１２）によって閉鎖されている。代りに、溝部材（１１）の上端を天井（Ｄ）に対して閉鎖しても良い。溝部材（１１）は、閉鎖端部を上方に開口端部を下方にして垂直位置で壁に直接取り付けられ、部屋の壁（Ｅ）は溝部材により形成される垂直空気通路（１３）の壁を形成している。
【０００９】
溝部材は、横断壁（１２）に隣接した上端部で、送気溝（Ｂ）を有する開口面を介して連結される。従って図１の実施例では、送気末端装置は、送気溝（Ｂ）と合致する位置に設けられた溝部材の開口面に構成された、取入口を形成する別の部材を全く有していない（他の実施例として、例えば上方から異なる方法によって空気を供給しても良い。）。このような方法によって、送気末端装置の流出口は溝部材の下方に向いた開口端部により形成される。
【００１０】
溝部材（１１）の内面は絶縁層（１４）によって被覆されており、絶縁層の端部は溝部材の下端部よりも僅かに上方に位置している。絶縁層の寸法は吸音の要件に応じて決定される。
【００１１】
送気末端装置（１０）の所定位置への取り付けに際して、溝部材（１１）の側縁部は、壁（Ｅ）と密着係合するフランジ部材（１５）によって形成される。
【００１２】
図３による変形例では、溝部材（１１Ａ）の側縁部にはＵ字部材により形成された、取り外し自在に取り付けられる別のスペーサー部材（１６）が設けられている。溝部材が壁から間隔を有し、従って送気末端装置を介する空気の流量に応じた空気通路（１３）の断面領域を選択することができるように、この種のスペーサー部材を予め定められた特定幅にすることが可能である。さらに、スペーサー部材（１６）の背面フランジまたは外部フランジの一つに取り付けられるプレート形状の背面部材（１７）が設けられる。背面部材（１７）はスペーサー部材間で溝部材を閉鎖する。背面部材（１７）には送気溝（Ｂ）の連結用凹部が設けられている。
【００１３】
送気溝（Ｂ）から空気通路（１３）を通って流れる空気は、空気の速度により垂直方向下方の運動量を有し、末端装置（１０）から排出される際に空気は壁に沿って下方に移動し、図１に矢印で示すように、コアンダ効果の影響により床（Ｃ）で屈折し、床に沿って広がる。換気スペース（Ａ）の既存空気は天井領域へと上方に押出され、この領域から排気末端装置（Ｆ）を通って排出される。
【００１４】
明らかに、溝部材（１１）は長尺片からそれぞれの場合に応じて所望の長さに切断されても良く、これにより溝部材（１１）の長さ、すなわち床の上方での空気流出口の高さを自由に選択することが容易にできるようになる。種々の異なる方法によって送気末端装置の外面を設計したり、これに装飾を施すことが可能であり、送気末端装置を装飾品及び他の室内装飾の目的に使用することができる。
【００１５】
図４乃至６には、符号１０Ｂで示した送気末端装置の変形例を示す。溝部材（１１Ｂ）は円形シリンダーの一部として形成され、前記の実施例と同様に、内部には絶縁層（１４Ｂ）が設けられている。さらに、図１乃至３に示すスペーサー部材（１６）と類似したスペーサー部材（１６Ｂ）が設けられている。
【００１６】
さらに図３に示すように、背面部材（１７）が設けられており、該背面部材（１７）は溝部材を側縁部間で閉鎖するために最外端のスペーサー部材に取り外し自在に取り付けられるプレート形状を呈しており、送気溝（Ｂ）との連結凹部が設けられている。
上記以外の点での送気末端装置（１０Ｂ）の送気末端装置（１０）との相違点は、実質的には溝部材（１１Ｂ）の断面形状のみである。
【００１７】
しかしながら図４乃至６において、溝部材には延長部材（１８）が付加されており、該延長部材は溝部材（１１Ｂ）の下部に伸縮自在に取り付けられる。延長部材は空気通路（１３）の延長部を形成するが、空気通路（１３）とは対称的に、下方ではなく一側面において開口しており、図６に示すように、延長部（１８）には一側縁部に沿って流出開口部（１９）が設けられており、該開口部（１９）を介して供給空気は排出されることになる。同様の流出開口部を他の側部に設けることも当然可能である。
【００１８】
本発明に基づく送気末端装置の長さは特に重要ではないが、コアンダ効果を得るに適した長さにすべきであり、これにより末端装置の流出口から流出する空気の噴流は表面噴流となる。
【００１９】
本発明による末端装置は、送気末端装置として機能することを主な目的としているが、排気末端装置または移送空気用の末端装置として用いることももちろん可能である。
【図面の簡単な説明】
【図１】本発明により換気される部屋の略図。
【図２】図１のII−II線に沿った断面図であり、送気末端装置の断面形状を図示したものである。
【図３】図２と類似した断面図であり、断面形状の変形例を示している。
【図４】取り付け部材または延長部材が設けられた送気末端装置の他の変形例の立面図。
【図５】図４のＶ−Ｖ線に沿った断面図。
【図６】図４のVI−VI線に沿った断面図。
【符号の説明】
１０  送気末端装置
１１  溝部材
１２  横断壁
１３  長尺状空気通路
１４  絶縁層
１５  フランジ部材
１６  スペーサー部材
１７  背面部材
１８  延長部
１９  流出開口部
【図１】
0003717175.tif 000002
【図２】
0003717175.tif 000003
【図３】
0003717175.tif 000004
【図４】
0003717175.tif 000005
【図５】
0003717175.tif 000006
【図６】
0003717175.tif 000007